【手続補正書】
【提出日】平成19年7月3日(2007.7.3)
【手続補正１】
【補正対象書類名】明細書
【補正対象項目名】特許請求の範囲
【補正方法】変更
【補正の内容】
【特許請求の範囲】
【請求項１】  制御システムであって、
ワイヤレス通信装置が近距離のエリア内にあるときに該ワイヤレス通信装置への近距離第２データ伝送接続を設定する手段で、該第２データ伝送接続が少なくとも識別メッセージを前記ワイヤレス通信装置に送信する目的で配置されており、該識別メッセージが前記制御システムを識別するデータを含む前記手段、
移動体通信網から前記識別メッセージへの応答としての制御メッセージを通信チャネル経由で受信する手段で、該移動体通信網は、該制御メッセージの送信のために前記ワイヤレス通信装置へのワイヤレス第１データ伝送接続を設定すべく配置され、該移動体通信網が、ワイヤレス通信装置を識別し前記制御メッセージの伝送を許可または阻止する認証手段を包含する前記手段、および
少なくとも、前記ワイヤレス通信装置から送信され、前記通信チャネル経由で受信された前記制御メッセージを解釈する処理手段で、該制御メッセージが少なくとも制御システムを望みの仕方で制御するデータを包含する前記手段
を包含する制御システム。
【請求項２】  認証手段が、ワイヤレス通信装置を識別するデータを制御メッセージに追加する目的でも配置されている請求項１に記載の制御システム。
【請求項３】  制御メッセージが、少なくとも、該制御メッセージを送信したワイヤレス通信装置（ＭＳ）を識別するために該ワイヤレス通信装置の電話番号を含む請求項２に記載の制御システム。
【請求項４】  制御メッセージが、少なくとも、該制御メッセージを送信したワイヤレス通信装置を識別するために該ワイヤレス通信装置の電話番号を含む請求項１に記載の制御システム。
【請求項５】  制御メッセージが、少なくとも、該制御メッセージの送信に関して制御システムを識別するデータを含む請求項１に記載の制御システム。
【請求項６】  少なくとも１つの受入れ可能なキーコードを保存する記憶手段をさらに包含し、受信された制御メッセージがキーコードを含む場合、処理手段が制御メッセージのキーコードを受入れ可能な少なくとも１つのキーコードと照合し、その上で制御を許可または阻止すべく配置されている請求項１に載の制御システム。
【請求項７】  キーコードが、少なくとも、制御メッセージを送信したワイヤレス通信装置を識別するデータを含む請求項６に記載の制御システム。
【請求項８】  キーコードが、少なくとも、制御メッセージを送信したワイヤレス通信装置の電話番号を含む請求項６に記載の制御システム。
【請求項９】  前記手段が、サーバから送信されたキーメッセージを通信チャネル経由で受信すべく配置されており、該キーメッセージが、照合の目的で制御システムに保存される受入れ可能なキーコードに関するデータを含む請求項６に記載の制御システム。
【請求項１０】  キーメッセージが、サーバから移動体通信網経由でワイヤレス通信装置に送信されるべくアレンジされ、該キーメッセージが、前記ワイヤレス通信装置に保存され、該ワイヤレス通信装置によって送信される制御メッセージに追加される受入れ可能なキーコードに関するデータを含む請求項９に記載の制御システム。
【請求項１１】  少なくとも１つの受入れ可能なキーコードを保存する記憶手段をさらに包含し、
制御メッセージに対する応答として、処理手段が、確認応答メッセージを移動体通信網への通信チャネル経由でワイヤレス通信装置に送信すべく配置されており、該確認応答メッセージが、前記ワイヤレス通信装置から送信すべき新しい制御メッセージで補われる前記少なくとも１つの受入れ可能なキーコードに関するデータを包含し、
前記新しい制御メッセージが前記第２データ伝送接続経由で受信されるべくアレンジされる
請求項１に記載の制御システム。
【請求項１２】  前記手段が、サーバから送信されたキーメッセージを通信チャネル経由で受信すべく配置されており、該キーメッセージが、照合の目的で制御システムに保存される受入れ可能なキーコードに関するデータを含む請求項１１に記載の制御システム。
【請求項１３】  キーメッセージが、サーバから移動体通信網経由でワイヤレス通信装置に送信されるべくアレンジされ、該キーメッセージが、前記ワイヤレス通信装置に保存され、該ワイヤレス通信装置によって送信される制御メッセージに追加される受入れ可能なキーコードに関するデータを含む請求項１２に記載の制御システム。
【請求項１４】  キーメッセージが、サーバから移動体通信網経由でワイヤレス通信装置に送信されるべくアレンジされ、該キーメッセージが、前記ワイヤレス通信装置に保存され、該ワイヤレス通信装置によって送信される制御メッセージに追加される受入れ可能なキーコードに関するデータを含む請求項１１に記載の制御システム。
【請求項１５】  前記手段が、サーバから送信されたキーメッセージを通信チャネル経由で受信すべく配置されており、該キーメッセージが、照合の目的で制御システムに保存される受入れ可能なキーコードに関するデータを含む請求項１に記載の制御システム。
【請求項１６】  キーメッセージが、サーバから移動体通信網経由でワイヤレス通信装置に送信されるべくアレンジされ、該キーメッセージが、前記ワイヤレス通信装置に保存され、該ワイヤレス通信装置によって送信される制御メッセージに追加される受入れ可能なキーコードに関するデータを含む請求項１に記載の制御システム。
【請求項１７】  少なくともメッセージの一部分が移動体通信網において送信すべきＳＭＳメッセージである請求項１６に記載の制御システム。
【請求項１８】  制御メッセージに基いて制御システムの動作を制御する制御手段をさらに包含する請求項１に記載の制御システム。
【請求項１９】  移動体通信網への通信チャネルの設定のために、制御システムが、移動体通信網へのワイヤレス第３データ伝送接続を設定する手段をさらに包含する請求項１に記載の制御システム。
【請求項２０】  少なくともメッセージの一部分が移動体通信網において送信すべきＳＭＳメッセージである請求項１に記載の制御システム。
【請求項２１】  前記ワイヤレス通信装置が前記近距離のエリア内にあるときにワイヤレス通信装置への近距離第２データ伝送接続を設定する手段は、赤外線送信器を具備する請求項１に記載の制御システム。
【請求項２２】  制御システムを制御するワイヤレス通信装置であって、
メッセージの送受信の目的で配置された移動体通信網へのワイヤレス第１データ伝送接続を設定する手段、
少なくともメッセージ受信の目的で配置された近距離ワイヤレス第２データ伝送接続を設定する手段、
送信すべきメッセージを生成し、受信されたメッセージを解釈する制御手段、および、
メッセージを保存するメモリ手段
を包含し、
前記手段が、前記近距離のエリア内にあるときの制御システムから第２接続経由で識別メッセージを受信する目的で配置されており、該識別メッセージが前記制御システムを識別するデータを含み、
また、
前記手段が、前記識別メッセージへの応答として制御メッセージをワイヤレス第１データ伝送接続経由で前記制御システムに送信する目的で配置されており、該制御メッセージが前記制御システムを望みの仕方で制御するデータを含み、ここで、前記移動体通信網が、前記ワイヤレス通信装置を識別し制御メッセージの伝送を許可または阻止する認証手段を包含する
ワイヤレス通信装置。
【請求項２３】  前記手段が、キーメッセージを移動体通信網経由で受信する目的でも配置されており、該キーメッセージが、ワイヤレス通信装置によって送信された制御メッセージに追加される受入れ可能なキーコードに関するデータを含み、前記メモリは前記受入れ可能なキーコードを記憶すべく配置される請求項２２に記載のワイヤレス通信装置。
【請求項２４】  前記近距離ワイヤレス第２データ伝送接続を設定する手段は、赤外線受信器を具備する請求項２２に記載のワイヤレス通信装置。
【請求項２５】  制御システムであって、
ワイヤレス通信装置が近距離エリア内にあるときに該ワイヤレス通信装置への近距離ワイヤレス第２データ伝送接続を設定する手段で、該ワイヤレス第２データ伝送接続が少なくとも制御メッセージを受信する目的で配置されており、該制御メッセージが少なくとも制御システムを望みの仕方で制御するデータを包含する前記手段、
メッセージの送信のために前記ワイヤレス通信装置へのワイヤレス第１データ伝送接続を設定すべく配置された移動体通信網からメッセージを通信チャネル経由で受信する手段、および
前記ワイヤレス通信装置から送信され、ワイヤレス第２データ伝送接続経由で受信された制御メッセージを解釈する処理手段を包含し、
前記制御メッセージに対する応答として、処理手段が、確認応答メッセージを移動体通信網への通信チャネル経由でワイヤレス通信装置に送信すべく配置されており、該確認応答メッセージが、前記ワイヤレス通信装置から送信すべき新しい制御メッセージに追加される受入れ可能なキーコードに関するデータを包含し、
前記新しい制御メッセージがワイヤレス第２データ伝送接続経由で受信されるべくアレンジされる制御システム。
【請求項２６】  処理手段が、移動体通信網から通信チャネル経由で受信された制御メッセージを解釈する目的でも配置されている請求項２５に記載の制御システム。
【請求項２７】  前記移動体通信網はさらに、前記ワイヤレス通信装置を識別し、制御メッセージの伝送を許可または阻止する認証手段を包含し、認証手段が、前記ワイヤレス通信装置を識別するデータを、送信すべき制御メッセージに追加する目的でも配置されている請求項２６に記載の制御システム。
【請求項２８】  制御メッセージが、少なくとも、該制御メッセージを送信したワイヤレス移動体通信装置を識別するために該ワイヤレス通信装置の電話番号を含む請求項２７に記載の制御システム。
【請求項２９】  少なくとも１つの受入れ可能なキーコードを保存するメモリ手段をさらに包含する請求項２６に記載の制御システム。
【請求項３０】  前記手段が、サーバから送信されたキーメッセージを通信チャネル経由で受信すべく配置されており、該キーメッセージが、照合の目的で制御システムに保存される受入れ可能なキーコードに関するデータを含む請求項２６に記載の制御システム。
【請求項３１】  サーバはさらに、受入れ可能なキーコードを保存し、受入れ可能なキーコードで制御すべき制御システムを識別するデータを保存し、かつ、受入れ可能なキーコードを与えられたワイヤレス通信装置を識別するデータを保存するメモリ手段を包含する請求項３０に記載の制御システム。
【請求項３２】  キーメッセージが、サーバから移動体通信網経由でワイヤレス通信装置に送信されるべくアレンジされ、該キーメッセージが、前記ワイヤレス通信装置に保存される受入れ可能なキーコードに関するデータを含む請求項３０に記載の制御システム。
【請求項３３】  キーメッセージが、サーバから移動体通信網経由でワイヤレス通信装置に送信されるべくアレンジされ、該キーメッセージが、前記ワイヤレス通信装置に保存される受入れ可能なキーコードに関するデータを含む請求項２６に記載の制御システム。
【請求項３４】  サーバはさらに、受入れ可能なキーコードを保存し、受入れ可能なキーコードで制御すべき制御システムを識別するデータを保存し、かつ、受入れ可能なキーコードを与えられたワイヤレス通信装置を識別するデータを保存するメモリ手段を包含する請求項３３に記載の制御システム。
【請求項３５】  処理手段が、ワイヤレス通信装置によって送信された制御メッセージへの応答として、新たな制御メッセージをワイヤレス第２データ伝送接続経由で送信することに関してメッセージを前記ワイヤレス通信装置に送信すべく配置されており、該新たな制御メッセージが少なくとも受入れ可能なパスワードを含む請求項２６に記載の制御システム。
【請求項３６】  処理手段が、制御メッセージへの応答として、キーメッセージを移動体通信網経由でワイヤレス通信装置に送信すべく配置されており、該キーメッセージが、前記ワイヤレス通信装置から送信される新たな制御メッセージに追加すべき受入れ可能なキーコードに関するデータを含み、
前記新たな制御メッセージがワイヤレス第２データ伝送接続経由で受信されるべくアレンジされる請求項２６に記載の制御システム。
【請求項３７】  制御システムが、ワイヤレス通信装置によって送信された制御メッセージへの応答として、キーメッセージを移動体通信網経由で別のワイヤレス通信装置に送信すべく配置されており、該キーメッセージが受入れ可能なキーコードに関するデータを含む請求項２６に記載の制御システム。
【請求項３８】  制御メッセージが、少なくとも制御メッセージを送信したワイヤレス通信装置を識別するワイヤレス通信装置の電話番号を含む請求項２５に記載の制御システム。
【請求項３９】  少なくとも１つの受入れ可能なキーコードを保存するメモリ手段をさらに包含し、受信された制御メッセージもキーコードを含む場合、処理手段が受信制御メッセージのキーコードを該少なくとも１つの受入れ可能なキーコードと照合し、その上で制御を許可または阻止すべく配置されている請求項２５に記載の制御システム。
【請求項４０】  キーコードが、少なくとも、制御メッセージを送信したワイヤレス通信装置を識別するデータを含む請求項３９に記載の制御システム。
【請求項４１】  キーコードが、少なくとも、制御メッセージを送信したワイヤレス通信装置の電話番号を含む請求項４０に記載の制御システム。
【請求項４２】  キーコードが、少なくとも、制御メッセージを送信したワイヤレス通信装置の電話番号を含む請求項３９に記載の制御システム。
【請求項４３】  制御メッセージに基いて制御システムの動作を制御する制御手段を包含する請求項２５に記載の制御システム。
【請求項４４】  前記ワイヤレス通信装置が前記近距離のエリア内にあるときにワイヤレス通信装置への近距離第２データ伝送接続を設定する手段は、赤外線送信器を具備する請求項２５に記載の制御システム。
【請求項４５】  制御システムを制御するワイヤレス通信装置であって、
メッセージの送受信の目的で配置されたワイヤレス第１データ伝送接続を移動体通信網に向けて設定する手段、
少なくともメッセージ受信の目的で配置された近距離ワイヤレス第２データ伝送接続を設定する手段、
送信すべきメッセージを生成し、受信されたメッセージを解釈する制御手段、および、
メッセージを保存するメモリ手段を包含し、
前記手段が、前記近距離のエリア内にあるときの制御システムに制御メッセージを第２データ伝送接続経由で送信する目的で配置されており、該制御メッセージが前記制御システムを望みの仕方で制御するデータを含み、
前記手段が、前記制御メッセージへの応答としてキーメッセージを移動体通信網経由で受信する目的でも配置されており、該キーメッセージが、ワイヤレス通信装置によって送信された新しい制御メッセージに追加される受入れ可能なキーコードに関するデータを含むワイヤレス通信装置。
【請求項４６】  前記メモリ手段が前記受入れ可能なキーコードを保存する目的で配置されている請求項４５に記載のワイヤレス通信装置。
【請求項４７】  前記手段が、キーメッセージを移動体通信網経由で別のワイヤレス通信装置に送信すべく配置されており、該キーメッセージが受入れ可能なキーコードに関するデータを含むことを特徴とする請求項４６に記載のワイヤレス通信装置。
【請求項４８】  前記手段が、キーメッセージを移動体通信網経由で別のワイヤレス通信装置に送信すべく配置されており、該キーメッセージが受入れ可能なキーコードに関するデータを含むことを特徴とする請求項４５に記載のワイヤレス通信装置。
【請求項４９】  移動体通信網へのワイヤレス第１データ伝送接続を設定する前記手段は、赤外線送信器を具備する請求項４５に記載のワイヤレス通信装置。